(57)【要約】【課題】早期に対応することができ、吸音板長寿命化を図ることができる吸音板補強補修材及び吸音板補強補修方法を提供する。【解決手段】吸音板補強補修材１０は、吸音板２０の正面板２１の前面下部に配設される前面板部１１と、正面板２１の下端部を覆うように前面板部１１の下端部から上方に向かい折り返した折り返し部１２とを備えている。正面板２１の下端部に折り返し部１２を合わせ、前面板部１１を正面板２１の前面下部に配設することにより、正面板２１の穴あき部２１Ｂの最下段において折曲げ加工がされている下側の辺に沿い水平方向に延びるひび割れを押さえる。【選択図】図４
2015190160.tif 000002
【特許請求の範囲】
【請求項１】
正面板と背面板との間に吸音体が収納され、正面板には、水平方向に伸長された複数の穴あき部が縦方向及び横方向にそれぞれ並べて配置された吸音板を補強し又は補修するものであり、
前記正面板の前面下部に配設され、前面挿入孔が設けられた前面板部と、
前記正面板の下端部を覆うように前記前面板部の下端部から上方に向かい折り返した折り返し部と、
前記前面挿入孔、及び、前記前面挿入孔に対応して前記正面板に設けられる正面挿入孔に挿入されて前記前面板部を前記正面板に固定するリベットとを備え、
前記前面板部の横方向の幅は、３０ｍｍ以上４４ｍｍ以下であり、前記前面板部の縦方向の長さは、前記正面板の下端部から前記穴あき部の縦方向における下から１段目に対応する位置を超える長さであり、
前記折り返し部の縦方向の長さは、３ｍｍ以上９ｍｍ以下である
ことを特徴とする吸音板補強補修材。
【請求項２】
前記前面挿入孔の位置は、前記折り返し部を前記正面板の下端部に合わせて前記前面板部を前記正面板の前面下部に配置した際に、前記穴あき部の縦方向における下から１段目に対応する位置よりも上側であることを特徴とする請求項１記載の吸音板補強補修材。
【請求項３】
前記前面板部及び前記折り返し部の下端部には、排水孔が設けられたことを特徴とする
請求項１又は請求項２に記載の吸音板補強補修材。
【請求項４】
正面板と背面板との間に吸音体が収納され、正面板には、水平方向に伸長された複数の穴あき部が縦方向及び横方向にそれぞれ並べて配置された吸音板を補強し又は補修する方法であって、
前面挿入孔が設けられた前面板部と、前記正面板の下端部を覆うように前記前面板部の下端部から上方に向かい折り返した折り返し部と、前記前面板部を前記正面板に固定するリベットとを備えた吸音板補強補修材を用い、
前記折り返し部を前記正面板の下端部に合わせて前記前面板部を前記正面板の前面下部に配置した際に、前記前面挿入孔に対応する前記正面板の位置に、前記リベットを挿入する正面挿入孔を開ける工程と、
前記折り返し部を前記正面板の下端部の下から挿入し、前記前面挿入孔と前記正面挿入孔との位置を合わせて、前記前面板部を前記正面板の前面下部に配置する工程と、
前記前面挿入孔及び前記正面挿入孔に前記リベットを挿入し、前記前面板部を前記正面板に固定する工程とを含む
ことを特徴とする吸音板補強補修方法。
【請求項５】
前記前面板部の横方向の幅は、３０ｍｍ以上４４ｍｍ以下であり、前記前面板部の縦方向の長さは、前記正面板の下端部から前記穴あき部の縦方向における下から１段目に対応する位置を超える長さであり、
前記折り返し部の縦方向の長さは、３ｍｍ以上９ｍｍ以下である
ことを特徴とする請求項４記載の吸音板補強補修方法。
【請求項６】
前記前面挿入孔の位置は、前記折り返し部を前記正面板の下端部に合わせて前記前面板部を前記正面板の前面下部に配置した際に、前記穴あき部の縦方向における下から１段目に対応する位置よりも上側であることを特徴とする請求項４又は請求項５に記載の吸音板補強補修方法。
【請求項７】
前記前面板部及び前記折り返し部の下端部には、排水孔が設けられたことを特徴とする
請求項４から請求項６のいずれか１に記載の吸音板補強補修方法。
【請求項８】
前記正面板は、前記穴あき部が縦方向に複数配置された穴あき領域と、前記穴あき部が設けられていない平板領域とを横方向に交互に有し、かつ、横方向の両端部は平板領域であり、
前記吸音板補強補修材は、平板領域のうち、横方向において両端部から１つ内側の領域、及び、そこから１つ置きの領域に対して配設する
ことを特徴とする請求項４から請求項７のいずれか１に記載の吸音板補強補修方法。
【発明の詳細な説明】
【技術分野】
【０００１】
本発明は、道路等の騒音対策に用いられる遮音壁の吸音板を補強補修する吸音板補強補修材及び吸音板補強補修方法に関する。
【背景技術】
【０００２】
道路等に設置されている遮音壁は、複数の吸音板を縦方向及び横方向に並べて配設することにより形成されている。吸音板は、例えば、正面板と背面板との間に吸音体を収納した構造を有しており、正面板の下部にはハゼ折り部が設けられ、背面板の端部が正面板のハゼ折り部に挿入されて固定されている。また、正面板には、ガラリと言われる水平方向の穴あき部が縦方向及び横方向に複数ずつ並べて配置され、音を通過させるようになっている（例えば、特許文献１参照）。ところが、この穴あき部からは音だけでなく雨水や凍結防止剤なども侵入してしまう。穴あき部から侵入した雨水や凍結防止剤などは正面板の下部に設けられているハゼ折り部に溜まり、これにより背面板の端部が錆びて膨張し、前面板にひび割れが生じてしまうという問題があった。
【０００３】
このひび割れは、正面板の穴あき部の最下段において折曲げ加工がされている下側の辺に沿い、背面板の端部に対応して水平方向に伸びるように発生する。一部にこのひび割れが発生すると、その進行は早く、正面板全幅に拡大してしまう。正面板は、吸音材を固定し、背面板に定着させる役割があり、このようなひび割れが進行すると、正面板の飛散や、吸音材の破損に至る恐れがあるため、早期の対応が求められている。対応策としては、新しい吸音板に交換するという方法があるが、古い吸音板を撤去したのち、新しい吸音板を配設するという大掛かりな工事となり、時間がかかってしまう。また、一部にひび割れが生じただけの吸音板は、他の部分については何の問題もなく使用できるものであるにもかかわらず廃棄されてしまうことになり、材料の無駄づかいや、産業廃棄物の増加にもなってしまう。
【先行技術文献】
【特許文献】
【０００４】
【特許文献１】実公平０６−２１９３３号公報
【発明の概要】
【発明が解決しようとする課題】
【０００５】
本発明は、このような問題に基づきなされたものであり、早期に対応することができ、吸音板長寿命化を図ることができる吸音板補強補修材及び吸音板補強補修方法を提供することを目的とする。
【課題を解決するための手段】
【０００６】
本発明の吸音板補強補修材は、正面板と背面板との間に吸音体が収納され、正面板には、水平方向に伸長された複数の穴あき部が縦方向及び横方向にそれぞれ並べて配置された吸音板を補強し又は補修するものであり、正面板の前面下部に配設され、前面挿入孔が設けられた前面板部と、正面板の下端部を覆うように前面板部の下端部から上方に向かい折り返した折り返し部と、前面挿入孔、及び、前面挿入孔に対応して正面板に設けられる正面挿入孔に挿入されて前面板部を正面板に固定するリベットとを備え、前面板部の横方向の幅は、３０ｍｍ以上４４ｍｍ以下であり、前面板部の縦方向の長さは、正面板の下端部から穴あき部の縦方向における下から１段目に対応する位置を超える長さであり、折り返し部の縦方向の長さは、３ｍｍ以上９ｍｍ以下のものである。
【０００７】
本発明の吸音板補強補修方法は、正面板と背面板との間に吸音体が収納され、正面板には、水平方向に伸長された複数の穴あき部が縦方向及び横方向にそれぞれ並べて配置された吸音板を補強し又は補修するものであって、前面挿入孔が設けられた前面板部と、正面板の下端部を覆うように前面板部の下端部から上方に向かい折り返した折り返し部と、前面板部を正面板に固定するリベットとを備えた吸音板補強補修材を用い、折り返し部を正面板の下端部に合わせて前面板部を正面板の前面下部に配置した際に、前面挿入孔に対応する正面板の位置に、リベットを挿入する正面挿入孔を開ける工程と、折り返し部を正面板の下端部の下から挿入し、前面挿入孔と正面挿入孔との位置を合わせて、前面板部を正面板の前面下部に配置する工程と、前面板部を配置したのち、前面挿入孔及び正面挿入孔にリベットを挿入し、前面板部を正面板に固定する工程とを含むものである。
【発明の効果】
【０００８】
本発明によれば、前面挿入孔が設けられた前面板部と、正面板の下端部を覆うように前面板部の下端部から上方に向かい折り返した折り返し部と、前面板部を正面板に固定するリベットとを備えるようにしたので、前面挿入孔の位置に合わせて正面板に正面挿入孔を開け、折り返し部を正面板の下端部の下から挿入し、前面挿入孔と正面挿入孔との位置を合わせて、前面板部を正面板の前面下部に配置し、前面挿入孔及び正面挿入孔にリベットを挿入して固定することにより、正面板の下部を押さえることができる。よって、極めて簡単な作業により、正面板の穴あき部の最下段において折曲げ加工がされている下側の辺に沿って水平方向に発生したひび割れが伸びることを抑制することができ、また、ひび割れが発生しても正面板の飛散や吸音材の破損を抑制することができる。従って、吸音板の損傷に対して早期に対応することができると共に、吸音板の長寿命化を図ることができる。
【０００９】
また、前面板部の幅、長さ、折り返し部の長さを所定の大きさとするようにすれば、又は、前面挿入孔を所定の位置に設けるようにすれば、より高い効果を得ることができる。
【００１０】
更に、前面板部及び折り返し部の下端部に排水孔を設けるようにすれば、下端部に雨水等が溜まることを抑制することができ、錆等による損傷の発生を抑制することができる。
【図面の簡単な説明】
【００１１】
【図１】本発明の一実施の形態に係る吸音板補強補修材の構成を表す図である。
【図２】図１に示した吸音板補強補修材を用いて補強又は補修を行う吸音板の構成を表す断面図である。
【図３】図２に示した吸音板を前側から見た構成を表す図である。
【図４】図１に示した吸音板補強補修材を図２に示した吸音板に配設した状態を表す拡大断面図である。
【図５】図４に示した吸音板補強補修材及び吸音板を前側から見た構成を表す図である。
【図６】図５の一部を拡大して表す図である。
【発明を実施するための形態】
【００１２】
以下、本発明の実施の形態について図面を参照して詳細に説明する。
【００１３】
図１は、本発明の一実施の形態に係る吸音板補強補修材１０の構成を表すものであり、（Ａ）は縦方向の断面図、（Ｂ）は前側から見た図、（Ｃ）は後側から見た図である。図２は、吸音板補強補修材１０を用いて補強又は補修を行う吸音板２０の断面構成を表すものであり、図３は、吸音板２０を前側から見た構成を表すものである。図４は、吸音板補強補修材１０を吸音板２０に配設した状態を表す断面構成を拡大して表すものである。図５は、吸音板補強補修材１０及び吸音板２０を前側から見た構成を表すものであり、図６は、図５の一部を拡大して表すものである。
【００１４】
吸音板補強補修材１０は、道路等に設置される遮音壁を形成する吸音板２０の補強又は補修に用いるものである。吸音板２０は、例えば、正面板２１と背面板２２との間に吸音体２３が収納され、側部には側面板２４が配設されている。正面板２１の下部には例えばハゼ折り部２１Ａが設けられ、背面板２２の端部が正面板２１のハゼ折り部２１Ａに挿入されて固定されている。正面板２１には、例えば、ガラリと言われる水平方向に伸長された複数の穴あき部２１Ｂが縦方向及び横方向にそれぞれ並べて配置されており、この穴あき部２１Ｂから音を通過させて吸音体２３により吸収するようになっている。
【００１５】
また、正面板２１は、例えば、穴あき部２１Ｂが縦方向に複数配置された穴あき領域２１Ｃと、穴あき部２１Ｂが設けられていない平板領域２１Ｄとを横方向に交互に有し、横方向の両端部は、平板領域２１Ｄとなっている。吸音板２０は、例えば、９個の平板領域２１Ｄと８個の穴あき領域２１Ｃとが横方向に交互に設けられた幅２ｍタイプと、１７個の平板領域２１Ｄと１６個の穴あき領域２１Ｃとが横方向に交互に設けられた幅４ｍタイプとがある。なお、図３では、２ｍタイプを示している。
【００１６】
吸音板補強補修材１０は、正面板２１の前面下部に配設され、前面挿入孔１１Ａが設けられた前面板部１１と、正面板２１の下端部を覆うように前面板部１１の下端部から上方に向かい折り返した折り返し部１２とを備えている。前面板部１１及び折り返し部１２は、例えば、１枚のステンレス板の一方の端部を折り返すことにより形成されている。吸音板補強補修材１０は、また、前面挿入孔１１Ａ、及び、前面挿入孔１１Ａに対応して正面板２１に設けられる正面挿入孔２１Ｅに挿入されて、前面板部１１を正面板２１に固定するリベット１３を備えている。リベット１３としては、例えば、ブラインドリベットが好ましい。なお、図１では、（Ａ）にのみリベット１３を表し、（Ｂ）及び（Ｃ）ではリベット１３の表示を省略している。
【００１７】
前面板部１１の横方向の幅Ｗ１は、３０ｍｍ以上４４ｍｍ以下の範囲内であることが好ましく、３５ｍｍ以上４４ｍｍ以下の範囲内であればより好ましい。幅Ｗ１が狭すぎると正面板２１を押さえるのに十分な強度を得ることができず、幅Ｗ１が広くなりすぎると正面板２１の平板領域２１Ｄの幅よりも広くなってしまうからである。
【００１８】
前面板部１１の縦方向の長さＨ１は、正面板２１の下端部から穴あき部２１Ｂの縦方向における下から１段目に対応する位置を超える長さであることが好ましく、下から２段目に対応する位置を超える長さであればより好ましい。また、前面挿入孔１１Ａの位置は、折り返し部１２を正面板２１の下端部に合わせて前面板部１１を正面板２１の前面下部に配置した際に、穴あき部２１Ｂの下から１段目に対応する位置よりも上側であることが好ましく、穴あき部２１Ｂの下から１段目に対応する位置と下から３段目に対応する位置の間であればより好ましい。正面板２１の穴あき部２１Ｂの最下段において折曲げ加工がされている下側の辺に沿い、背面板２２の端部に対応して水平方向に発生するひび割れ２１Ｆを押さえるためである。なお、図６において、穴あき部２１Ｂの下から１段目（最下段）に対応する位置は一点鎖線で示し、穴あき部２１Ｂの下から２段目に対応する位置は二点鎖線で示し、穴あき部２１Ｂの下から３段目に対応する位置は一点二短鎖線で示し、ひび割れ２１Ｆの位置は点線で示している。
【００１９】
具体的には、前面板部１１の縦方向の長さＨ１は、例えば、４３ｍｍよりも長いことが好ましく、６３ｍｍよりも長い方がより好ましい。また、前面挿入孔１１Ａの位置は、例えば、前面板部１１の下端部から４３ｍｍよりも上側であることが好ましく、前面板部１１の下端部から４３ｍｍよりも上側で８３ｍｍよりも下側であればより好ましい。
【００２０】
なお、前面板部１１の縦方向の長さＨ１は必要以上に長くする必要はなく、例えば、正面板２１の下端部から穴あき部２１Ｂの縦方向における下から５段目に対応する位置を超える長さとする必要はない。具体的には、例えば、１２３ｍｍよりも長くする必要はない。
【００２１】
折り返し部１２の横方向の幅Ｗ２は、例えば、前面板部１１の横方向の幅Ｗ１と同一である。折り返し部１２の縦方向の長さＨ２は、３ｍｍ以上９ｍｍ以下であることが好ましい。短すぎると前面板部１１の下端部を正面板２１に固定することが難しくなるからである。また、長すぎると、コンクリート基礎の上に複数の吸音板２０が積層されている状態において、コンクリート基礎と正面板２１の下端部の間、又は、積層されている吸音板２０の正面板２１の間に折り返し部１２を挿入することが難しくなるからである。
【００２２】
前面板部１１及び折り返し部１２の下端部には、前面板部１１から折り返し部１２にかけて排水孔１４が設けられていることが好ましい。下端部に雨水等が溜まることを抑制し、錆等による損傷の発生を抑制することができるからである。
【００２３】
この吸音板補強補修材１０は、例えば、次のようにして吸音板２０の補強又は補修に用いられる。例えば、図６に示したように、正面板２１の穴あき部２１Ｂの最下段において折曲げ加工がされている下側の辺に沿い、背面板２２の端部に対応して水平方向にひび割れ２１Ｆが発生してしまった場合、正面板２１の下端部に折り返し部１２を掛け、前面板部１１を正面板２１の平板領域２１Ｄにおける前面下部に配置して、ひび割れ２１Ｆを押さえる。
【００２４】
具体的には、例えば、折り返し部１２を正面板２１の下端部に合わせて前面板部１１を正面板２１の前面下部に配置した際に、前面挿入孔１１Ａに対応する正面板２１の位置に、リベット１３を挿入する正面挿入孔２１Ｅを開ける。その際、穴あき部２１Ｂからヘラ等を挿入して前面板２１と吸音体２３との間に配置し、吸音体２３に穴を開けないようにすることが好ましい。次いで、例えば、折り返し部１２を正面板２１の下端部の下から挿入して下端部に掛け、前面挿入孔１１Ａと正面挿入孔２１Ｅとの位置を合わせて、前面板部１１を正面板２１の前面下部に配置する。続いて、例えば、前面挿入孔１１Ａ及び正面挿入孔２１Ｅにリベット１３を挿入して取り付け、前面板部１１を正面板２１に固定する。
【００２５】
これにより、正面板２１の穴あき部２１Ｂの最下段において折曲げ加工がされている下側の辺に沿って水平方向に発生したひび割れ２１Ｆを押さえることができる。なお、吸音板補強補修材１０は、正面板２１の平板領域２１Ｄのうち、横方向において両端部から１つ内側の領域、及び、そこから１つ置きの領域に対して配設することが好ましい。このように配設することにより、少ない手間で高い効果を得ることができるからである。
【００２６】
正面板２１の穴あき部２１の最下段において折曲げ加工がされている下側の辺に沿って水平方向に全幅にわたってひび割れ２１Ｆが生じてしまった吸音板２０について、上述したように吸音板補強補修材１０を配設して補修し、補修後の吸音板２０について強度試験を行った。強度試験は、吸音板２０を遮音壁に使用する際に義務付けられている強度試験方法に従った。荷重（風荷重相当）は橋梁部２．０ｋＮ／ｍ２、土工部１．５ｋＮ／ｍ２とした。その結果、補修後の吸音板２０は、荷重に耐えうる強度を有していることが分かった。
【００２７】
このように本実施の形態によれば、前面挿入孔１１Ａが設けられた前面板部１１と、正面板２１の下端部を覆うように前面板部１１の下端部から上方に向かい折り返した折り返し部１２と、前面板部１１を正面板１２に固定するリベット１３とを備えるようにしたので、前面挿入孔１１Ａの位置に合わせて正面板２１に正面挿入孔２１Ｅを開け、折り返し部１２を正面板２１の下端部の下から挿入し、前面挿入孔１１Ａと正面挿入孔２１Ｅとの位置を合わせて、前面板部１１を正面板２１の前面下部に配置し、前面挿入孔１１Ａ及び正面挿入孔２１Ｅにリベット１３を挿入して固定することにより、正面板２１の下部を押さえることができる。よって、極めて簡単な作業により、正面板２１の穴あき部２１Ｂ最下段において折曲げ加工がされている下側の辺に沿って水平方向に発生したひび割れ２１Ｆが伸びることを抑制することができ、また、ひび割れ２１Ｆが発生しても正面板２１の飛散や吸音材２３の破損を抑制することができる。従って、吸音板２０の損傷に対して早期に対応することができると共に、吸音板２０の長寿命化を図ることができる。
【００２８】
また、前面板部１１の幅、長さ、折り返し部１２の長さを所定の大きさとするようにすれば、又は、前面挿入孔１１Ａを所定の位置に設けるようにすれば、より高い効果を得ることができる。
【００２９】
更に、前面板部１１及び折り返し部１２の下端部に排水孔１４を設けるようにすれば、下端部に雨水等が溜まることを抑制することができ、錆等による損傷の発生を抑制することができる。
【産業上の利用可能性】
【００３０】
道路等の騒音対策に用いられる遮音壁の吸音板の補強又は補修に用いることができる。
【符号の説明】
【００３１】
１０…吸音板補強補修材、１１…前面板部、１１Ａ…前面挿入孔、１２…折り返し部、１３…リベット、１４…排水孔、２０…吸音板、２１…正面板、２１Ａ…ハゼ折り部、２１Ｂ…穴あき部、２１Ｃ…穴あき領域、２１Ｄ…平板領域、２１Ｅ…正面挿入孔、２１Ｆ…ひび割れ、２２…背面板、２３…吸音体、２４…側面板
【図１】
2015190160.tif 000003
【図２】
2015190160.tif 000004
【図３】
2015190160.tif 000005
【図４】
2015190160.tif 000006
【図５】
2015190160.tif 000007
【図６】
2015190160.tif 000008